(57)【要約】【課題】例えばオーブン電子レンジのオーブンを長時間使用した場合など、ドアの表面温度が高くなることがある。温度が高くなったドアの表面に触ることによる火傷の恐れがあるのでドアの表面温度が高くなる場合だけ、ドアの表面に触ることによる火傷などに注意が必要であった。【解決手段】加熱装置のドアにカバーを設けることにより、使用時に温度が高くなったドア表面に触れないようにすることにより、温度が高くなったドアの表面に触ることによる火傷を防止する。ドアの表面温度は使用方法により高くなる場合があるので、ドアの温度が高くなる場合だけなど必要な場合のみ使用できるように、加熱装置のドアに容易に着脱できる構造を有し、カバーを取り付けていない場合のドアのデザイン性が損なわれないようにドア自体には特別な装置や機構はなく、カバー自体に取り付け時の保持機構を設ける。【選択図】図２
2010032115.tif 000002
【特許請求の範囲】
【請求項１】
加熱室と、前記加熱室を開閉するドアとを備える加熱装置に容易に指が触ることができない構造で前記のドアの温度が高くなる場合にドアに、必要な時だけ容易に取り付けができる加熱装置用ドアの保護カバー。
【請求項２】
ドアの表面との間に空気が通る隙間を有し、前記ドアの保護カバーの表面温度がドアの表面温度より低くすることができる構造を有する請求項１に記載の加熱装置用ドアの保護カバー。
【請求項３】
加熱装置のドアには特別な機構を設けることなく、取り付け時の保持機構をドアの保護カバーに設けた請求項１に記載の加熱装置用ドアの保護カバー。
【請求項４】
加熱室内を見易い構造で、汚れが付着した場合は取り外して洗うことができる構造を有する請求項１に記載の加熱装置用ドアの保護カバー。
【発明の詳細な説明】
【技術分野】
【０００１】
本発明はヒータやマイクロ波等によって被加熱物を加熱する加熱装置に関し、ドアの温度が高くなることに対する加熱装置用ドアの保護カバーに関するものである。
【背景技術】
【０００２】
一般にヒータやマイクロ波等によって被加熱物を加熱する加熱装置、例えば高周波加熱装置は装置本体の表面に加熱手段等の操作部が設けてある（例えば、特許文献１参照）。
【０００３】
図８はこのような高周波加熱装置を示し、加熱装置２の本体の前面に加熱室３をドアハンドル４ａにて開閉するドア４とともに加熱手段（図示せず）を操作する操作部６が設けてあり、この操作部６を操作して各種の加熱調理を行うようになっていた。
【特許文献１】特開平１０−１３２２８５号公報
【発明の開示】
【発明が解決しようとする課題】
【０００４】
従来の加熱装置ではその使用中に、使用方法によってはドア表面の温度が高くなる場合がありドア表面に触れることで火傷の恐れがあるので、ドア表面の温度が高くなる使用方法の場合だけに、ドアの温度が高くなったドアに触ることに対して注意が必要であっが、本発明はこのような課題を解決するものである。
【０００５】
本発明はこのような課題を解決したもので、加熱装置のドアに熱に対する保護カバーを取り付けることで、ドア表面に触れることによる火傷などを防ぐ加熱装置に対するドアの保護カバーの提供を目的としたものである。
【課題を解決するための手段】
【０００６】
前記従来の課題を解決するために、本発明は加熱装置のドアに熱に対するドアの保護カバーを取り付けることで、温度が高くなったドアの表面に直接触れることができないの  で、ドアの表面に触れることによる火傷などを防止する。
【０００７】
またドアの保護カバーとドア表面と間に空気が通る隙間を設け、前記ドアの保護カバーの表面温度が前記ドアの表面温度より低くすることができる構造を設けることにより、ドアの保護カバーの表面温度はドアの表面温度より低くできるため、ドア表面の温度が高くなる場合でも火傷を防ぐことができる。
【０００８】
ドアの保護カバーには容易に取り外しができるように、着脱機構をもうけることで、ドアの表面の温度が高くなる使用方法やその様な使用方法の頻度が高い場合だけなど必要に応じて取り付け、取り外しができる。
【０００９】
また、ドアには特別な着脱機構を設けず、ドアの保護カバーに着脱機構を設けることで加熱装置全体の意匠を制約することがなく、特にドアの保護カバーを取り外した状態でのデザイン性を損なうことがない。
【発明の効果】
【００１０】
本発明は、加熱装置のドア表面が高くなり火傷の恐れが生じる場合でも、ドアに熱に対する保護カバーを取り付けることで、火傷などを防ぐことができる。
【発明を実施するための最良の形態】
【００１１】
第１の発明は、加熱装置のドアが熱くなり火傷の恐れが生じる場合などの必要な場合だけに、本発明の取り外しが可能でドアに熱に対する保護カバーを取り付けることで、火傷などを防ぐことができる。
【００１２】
第２の発明は、保護カバーには保護カバーとドアの表面との間に空気が通る隙間を設  け、保護カバーの表面温度がドアの表面温度より低くすることができる構造を設ける。
【００１３】
第３の発明は、保護カバーには着脱機構を設けて加熱装置のドアには特別な機構を設けずに着脱するため、加熱装置の意匠やデザインに特別な制約を必要としないが、ドアハンドルに保護カバーを取り付けるためにドアハンドルは必要となる。
【００１４】
第４の発明は、保護カバーには過熱装置のドアの加熱室内を見ることができる範囲に無数の穴を設けて加熱室内を見ることができる構造を有し、簡単な構造とすることで汚れが付着した場合に洗うことができる構造とする。
【００１５】
以下、本発明の実施の形態を図面を参照しながら説明する。なお、この実施の形態に  
よって本発明が限定されるものではない。
【００１６】
（実施の形態）
図１、２はそれぞれ、本発明の実施の形態にかかる保護カバーをビルトイン型オーブン電子レンジに取り付けた様子を示す正面図、側面図である。
【００１７】
図１に示されるように、ビルトイン型オーブン電子レンジ１には、ドア４、ドアの窓部４ａ、ドアハンドル４ｂ、操作部６が設けられる。保護カバー５は、ドアハンドル４ｂに保持する形でドア４に取り付けられ、ドアハンドル４ｂを握ることができる構造になっている。
【００１８】
図３は、保護カバー５を取り付けたオーブンレンジ用ドアの断面図である。図３に示されるように、保護カバー５は、着脱機構５ａ、着脱機構用バネ５ｂによって、ドアハンドル４ｂに取り付く形でドアに取り付いており、ドア４には特別な着脱機構は設けられていない。
【産業上の利用可能性】
【００１９】
以上のように本発明は、ドアの温度が高くなることに対する加熱装置用ドアの保護カバーに関するものであり、ヒータやマイクロ波等によって被加熱物を加熱する加熱装置に適用できる。
【図面の簡単な説明】
【００２０】
【図１】本発明の実施の形態にかかる保護カバーを取り付けたオーブンレンジの正面図
【図２】本発明の実施の形態にかかる保護カバーを取り付けたオーブンレンジの側面図
【図３】本発明の実施の形態にかかる保護カバーを取り付けたオーブンレンジ用ドアの断面図
【図４】従来の加熱装置の断面図
【符号の説明】
【００２１】
１  オーブン電子レンジ
２  加熱装置
３  加熱室
４  ドア
４ａ  ドアの窓部
４ｂ  ドアハンドル
５  保護カバー
５ａ  着脱機構
５ｂ  着脱機構用バネ
６  操作部
２２  排気ファン
２３  排気ガイド
２４  排気口
【図１】
2010032115.tif 000003
【図２】
2010032115.tif 000004
【図３】
2010032115.tif 000005
【図４】
2010032115.tif 000006